(57)【要約】      （修正有）【課題】スナップ結合により組み立て性を向上したレンズ移送装置を提供する。【解決手段】レンズバレルが装着されレンズの光軸方向に直線移送される中空型のバレルホルダーと、バレルホルダーの外周縁の上部に形成された溝にスナップ結合される突出部が形成された第１ホルダーコネクタ、第１ホルダーコネクタの外側に内側が連結される第１板スプリング、及び第１板スプリングの外側に連結される第１本体を具備する上部ケースと、バレルホルダーの外周縁の下部に形成された溝にスナップ結合される突出部が形成された第２ホルダーコネクタ、第２ホルダーコネクタの外側に内側が連結される第２板スプリング、及び第２板スプリングの外側に連結される第２本体を具備する下部ケースと、下部ケースに装着されて内部にマグネットを具備するヨークと、マグネットと一定間隔離隔されて設置されバレルホルダーと共に移送されるコイルとを含むレンズ移送装置。【選択図】図２ａ
2006301584.tif 000002
【特許請求の範囲】
【請求項１】
内部に少なくとも一つのレンズが内蔵されたレンズバレルが装着され上記レンズの光軸方向に直線移送される中空型のバレルホルダーと、
上記バレルホルダーの外周縁の上部に形成された溝にスナップ結合される突出部が形成された第１ホルダーコネクタ、上記第１ホルダーコネクタの外側にその内側が連結される第１板スプリング、及び上記第１板スプリングの外側に連結される第１本体を具備する上部ケースと、
上記バレルホルダーの外周縁の下部に形成された溝にスナップ結合される突出部が形成された第２ホルダーコネクタ、上記第２ホルダーコネクタの外側にその内側が連結される第２板スプリング、及び上記第２板スプリングの外側に連結される第２本体を具備する下部ケースと、
上記下部ケースに装着されその内部にマグネットを具備するヨークと、
上記マグネットと一定間隔離隔され設置されて上記バレルホルダーとともに移送されるコイルと
を含むレンズ移送装置。
【請求項２】
上記第１板スプリングは上記第１本体内にインサートモルディングされ、
上記第２板スプリングは上記第２本体内にインサートモルディングされることを特徴とする請求項１に記載のレンズ移送装置。
【請求項３】
上記第１板スプリングは上記第１本体と第１ホルダーコネクタ内にインサートモルディングされ、
上記第２板スプリングは上記第２本体と第２ホルダーコネクタ内にインサートモルディングされることを特徴とする請求項１に記載のレンズ移送装置。
【請求項４】
上記コイルは上記第１ホルダーコネクタの下面に接着されて設置され、上記ヨークに設置されたマグネットと一定間隔離隔され位置することを特徴とする請求項１に記載のレンズ移送装置。
【請求項５】
上記第１板スプリングと第２板スプリングは上記バレルホルダーに同一な弾性力を提供するように形成されて上記バレルホルダーの光軸方向移送を案内することを特徴とする請求項１に記載のレンズ移送装置。
【請求項６】
内部に少なくとも一つのレンズが内蔵されたレンズバレルが装着され、外周面にコイルが巻線され、上記レンズの光軸方向に直線移送される中空型のバレルホルダーと、
上記バレルホルダーの外周縁の上部に形成された溝にスナップ結合される突出部が形成されたホルダーコネクタ、上記ホルダーコネクタの外側にその内側が連結される板スプリング、及び上記板スプリングの外側に連結される本体を具備する上部ケースと、
上記バレルホルダーに形成されたガイド溝に挿入されるガイド部と、上記ガイド部と外周面との間にマグネットを具備するヨークと、
上記ヨークが安着される下部ケースと
を含むレンズ移送装置。
【請求項７】
上記板スプリングは上記本体内にインサートモルディングされることを特徴とする請求項６に記載のレンズ移送装置。
【請求項８】
上記板スプリングは上記本体及び上記ホルダーコネクタ内にインサートモルディングされることを特徴とする請求項６に記載のレンズ移送装置。
【請求項９】
内部に少なくとも一つのレンズが内蔵されたレンズバレルが装着され、上記レンズの光軸方向に直線移送される中空型のバレルホルダーと、
上記バレルホルダーの外周縁に形成された溝にスナップ結合される突出部が形成されたホルダーコネクタ、上記ホルダーコネクタの外側にその内側が連結される板スプリング、及び上記板スプリングの外側に連結される本体を具備するケースと、
上記ケースに装着され、その内部にマグネットを具備するヨークと、
上記マグネットと一定間隔離隔されて設置され上記バレルホルダーとともに移送されるコイルと
を含むレンズ移送装置。
【請求項１０】
上記板スプリングは上記本体内にインサートモルディングされることを特徴とする請求項９に記載のレンズ移送装置。
【請求項１１】
上記板スプリングは上記本体及び上記ホルダーコネクタ内にインサートモルディングされることを特徴とする請求項９に記載のレンズ移送装置。
【請求項１２】
上記コイルは上記ホルダーコネクタに接着されて設置され上記ヨークに設置されたマグネットと一定間隔離隔され位置することを特徴とする請求項９に記載のレンズ移送装置。
【発明の詳細な説明】
【技術分野】
【０００１】
本発明はＶＣＭ(Ｖｏｉｃｅ Ｃｏｉｌ Ｍｏｔｏｒ、音声コイルモーター)を利用したレンズ移送装置に関するもので、より詳しくはバレルホルダーと板スプリングとの間のスナップ結合によって組み立て性の向上されたレンズ移送装置に関するものである。
【背景技術】
【０００２】
一般的にカメラは多数個のレンズを具備しており、各々のレンズを移動させることで光学的な焦点距離を調節するように構成される。近年には、カメラが搭載された携帯電話が登場して携帯電話によって停止画像及び動画の撮影が可能になるようになり、このような写真及び動画を高解像度及び高画質で撮影するために現在カメラの性能が徐々に改善されている傾向にある。
【０００３】
そのため、カメラの自動焦点調節機能や光学ズーム機能などが要求されており、この中で特に画像センサに対して自動で焦点を合わせるための自動焦点調節機能は鮮明な画像を得るための最も基本的な機能と言える。
【０００４】
かかる機能を行うための駆動源には大体回転力を発生させる小型の電気モーターが使用され、その他に圧電素子を利用した駆動手段やその他多様な駆動装置らが使用される。
【０００５】
この中で従来の駆動源としてはＶＣＭ(Ｖｏｉｃｅ Ｃｏｉｌ Ｍｏｔｏｒ、音声コイルモーター)と呼ばれる一種のリニアモーターを利用するのが代表的である。上記ＶＣＭ(Ｖｏｉｃｅ Ｃｏｉｌ Ｍｏｔｏｒ)はスピーカーの振動原理を利用し駆動力を発生させることで、大きく起動コイル形と起動磁石形がある。起動コイル形は固定された磁石に対してコイルが相対的に往復運動するよう構成されたものであり、起動磁石形は固定されたコイルに対して磁石が往復運動するよう構成されたものである。
【０００６】
このようなＶＣＭは、そのものが直線運動をするように構成されているため、従来の電気モーターとは違って回転運動を直線運動に変換する必要がない。このような特徴のため上記ＶＣＭは狭い空間内で直線運動のための駆動源として脚光を浴びており、小型カメラのレンズ駆動装置に適用するのに有利である。
【０００７】
従来のＶＣＭを利用した焦点調節装置は、フレミングの左手法則によって発生される電磁気力によってレンズの内蔵された鏡筒が直線的に動くよう構成されるが、その構造について説明すると次のようである。
【０００８】
図１ａおよび図１ｂのように、Ｕ型断面を有するヨーク１２の内側には一対のマグネット１３が固定され、上記マグネット１３とヨーク１２の内周面の間にはその外側にコイル２３が巻線されたバレルホルダー２２が配置されることにより上記マグネット１３とコイル２３は隣接するよう配置される。
【０００９】
この際、上記バレルホルダー２２はその中央部に形成された開口にスクリューなどによって結合されるレンズバレル２１を具備する。上記レンズバレル２１は少なくとも一つのレンズ２５が内蔵されているので上記バレルホルダー２２が動きによって焦点距離が変化するようになる。
【００１０】
一方、上記ヨーク１２は下部ケース１１に安着され、上記ヨーク１２の上部には上部ケース１４が設けられる。
【００１１】
この際、上記上部ケース１４とバレルホルダー２２はその上部が板スプリング３１によって連結されて上記上部ケース１４に対してバレルホルダー２３が板スプリング３１によって支持される構造を有する。
【００１２】
また、下部ケース１１にも別途の板スプリングが装着され得るが、この場合に上記別途の板スプリングは下部ケース１１とバレルホルダー２２の下側を連結するようになる。
【００１３】
このような構成を有する従来のレンズ移送装置の作用は次のとおりである。
【００１４】
コイル２３に電流を印加させると、上記コイル２３とマグネット１３の間には電磁気力が発生されるが、このような電磁気力によって上記バレルホルダー２２が直線運動をするようになる。
【００１５】
この際、上記バレルホルダー２２に形成されたガイド溝２２ａがヨーク１２の内側に形成されたガイド部１２ａに案内されるので、上記バレルホルダー２２及びレンズバレル２１内に固定されたレンズ２５が光軸方向に移送される。
【００１６】
このように、バレルホルダー２２が直線運動をするようになると、レンズバレル２１内のレンズ２５が移動して被写体から反射された光をイメージセンサ５０に正確に集光されるようにすることで焦点調節機能が具現される
【００１７】
しかし、上記のように構成された従来の焦点調節装置は次のような問題点があった。
【００１８】
上記板スプリング３１はレンズバレル２１の外周面２１ｂ、あるいはバレルホルダー２２の外周面２２ａに嵌め込むことによって組み立てられた後ボンディングによって固定されるので、嵌め込み工程で上記板スプリング３１が破損される問題点があった。
【００１９】
また、上記板スプリング３１が上部ケース１４及びレンズバレル２１にボンディングによって接着接着されるので組み立て作業に困難が多かった。
【００２０】
とりわけ、板スプリング３１の位置設定及び初期弾性力の設定などが不正確であるので、レンズバレル２１の初期位置が光軸から外れる恐れがあるだけでなく、上記レンズバレル２１が移送される際、光軸方向の移送が正確に具現されないという問題点があった。
【発明の開示】
【発明が解決しようとする課題】
【００２１】
本発明は上記のような従来の問題点を解消するためのものであり、バレルホルダーと板スプリングが組み立てが容易であり、板スプリングとケースの組み立て作業を要しない組み立て性の向上されたレンズ移送装置を提供することを目的とする。
【００２２】
また、組み立て過程において発生できる板スプリングの破損防止によって収率が向上され、板スプリングとバレルホルダーとの間の簡単な組み立てを通しても光軸方向の公差管理が容易な組み立て性の向上されたレンズ移送装置を提供することを目的とする。
【００２３】
また、本発明は二つの板スプリングを利用してガイド部を要しない組み立て性の向上されたレンズ移送装置を提供することを目的とする。
【課題を解決するための手段】
【００２４】
上記のような目的を成し遂げるための一側面として本発明は、内部に少なくとも一つのレンズが内蔵されたレンズバレルが装着され上記レンズの光軸方向に直線移送される中空型のバレルホルダーと、上記バレルホルダーの外周縁の上部に形成された溝にスナップ結合される突出部が形成された第１ホルダーコネクタ、上記第１ホルダーコネクタの外側にその内側が連結される第１板スプリング、及び上記第１板スプリングの外側に連結される第１本体を具備する上部ケースと、上記バレルホルダーの外周縁の下部に形成された溝にスナップ結合される突出部が形成された第２ホルダーコネクタ、上記第２ホルダーコネクタの外側にその内側が連結される第２板スプリング、及び上記第２板スプリングの外側に連結される第２本体を具備する下部ケースと、上記下部ケースに装着されてその内部にマグネットを具備するヨークと、上記マグネットと一定間隔離隔されて設置され、上記バレルホルダーとともに移送されるコイルとを含むレンズ移送装置を提供する。
【００２５】
好ましくは、上記第１板スプリングは上記第１本体内にインサートモルディングされ、上記第２板スプリングは上記第２本体内にインサートモルディングされる。
【００２６】
さらに好ましくは、上記第１板スプリングは上記第１本体と第１ホルダーコネクタ内にインサートモルディングされ、上記第２板スプリングは上記第２本体と第２ホルダーコネクタ内にインサートモルディングされ得る。
【００２７】
また、上記コイルは上記第１ホルダーコネクタの下面に接着されて設置され、上記ヨークに設置されたマグネットと一定間隔離隔され位置するのが好ましい。
【００２８】
そして、上記第１板スプリングと第２板スプリングは上記バレルホルダーに同一な弾性力を提供するように形成されて上記バレルホルダーの光軸方向移送を案内するのが好ましい。
【００２９】
他の側面として本発明は、内部に少なくとも一つのレンズが内蔵されたレンズバレルが装着され、外周面にコイルが巻線され上記レンズの光軸方向に直線移送される中空型のバレルホルダーと、上記バレルホルダーの外周縁の上部に形成された溝にスナップ結合される突出部が形成されたホルダーコネクタ、上記ホルダーコネクタの外側にその内側が連結される板スプリング、及び上記板スプリングの外側に連結される本体を具備する上部ケースと、上記バレルホルダーに形成されたガイド溝に挿入されるガイド部、及び上記ガイド部と外周面の間にマグネットを具備するヨークと、上記ヨークが安着される下部ケースとを含むレンズ移送装置を提供する。
【００３０】
好ましくは、上記板スプリングは上記本体内にインサートモルディングされることもでき、上記本体及び上記ホルダーコネクタ内にインサートモルディングされることもできる。
【００３１】
さらに他の側面として本発明は、内部に少なくとも一つのレンズが内蔵されたレンズバレルが装着され上記レンズの光軸方向に直線移送される中空型のバレルホルダーと、上記バレルホルダーの外周縁に形成された溝にスナップ結合される突出部が形成されたホルダーコネクタ、上記ホルダーコネクタの外側にその内側が連結される板スプリング、及び上記板スプリングの外側に連結される本体を具備するケースと、上記ケースに装着され、その内部にマグネットを具備するヨーク、及び上記マグネットと一定間隔離隔されて設置され上記バレルホルダーとともに移送されるコイルを含むレンズ移送装置を提供する。
【００３２】
好ましくは、上記板スプリングは上記本体内にインサートモルディングされることもでき、上記本体及び上記ホルダーコネクタ内にインサートモルディングされることも可能である。
【００３３】
さらに、上記コイルは上記ホルダーコネクタに接着されて設置され、上記ヨークに設置されたマグネットと一定間隔離隔され位置するのが好ましい。
【発明の効果】
【００３４】
本発明によれば、板スプリングがケースと一体で形成されるのでケースに板スプリングを組み立てる必要がなく、板スプリングに突出部を有するホルダーコネクタと上記突出部を収容する溝が形成されたバレルホルダーを具備することで板スプリングとバレルホルダーとの間の組み立てがスナップ結合によって非常に簡単になるので、組み立て性が向上するという効果を得ることができる。
【００３５】
また、本発明は従来の嵌め込み後、ボンディング方式ではなく板スプリングとバレルホルダーとの間のスナップ結合によって行われるので組み立て過程で発生できる板スプリングの破損を防止することができ、これによって収率が向上されるという有利な効果を得ることができる。
【００３６】
そして、板スプリングがインサートモルディングによってケースに直接形成されるので、単純なスナップ結合だけでも光軸方向の公差管理が容易であり、ボンディング作業が不要であるためボンディングによる弾性力の差が発生する恐れがないという効果を得ることができる。
【００３７】
さらに、二つの板スプリングを上部及び下部ケースに設定する場合にガイド部が不要であるという効果を得ることができる。
【発明を実施するための最良の形態】
【００３８】
以下、添付の図面に基づいて本発明を詳しく説明する。
【００３９】
図２ａは、本発明の第１実施例によるレンズ移送装置の主要部品の分解斜視図で、図２ｂは図２ａに示すレンズ移送装置の結合断面図であり、図３ａ及び図３ｂは、それぞれ図２ａ及び図２ｂの上部ケース、下部ケース及びバレルホルダーの分解斜視図と結合された状態の断面図であり、図４は図２ａ及び図２ｂの上部ケースの部分切開斜視図である。
【００４０】
本発明は板スプリングをインサートモルディングを通してケースと一体で成形し、上記板スプリングに連結されたホルダーコネクタとバレルホルダーがスナップ結合を通して組み立てられ、従来に比して組み立て性の向上されたレンズ移送装置に関するものである。
【００４１】
図２ａ及び図２ｂに示すように、本発明の第１実施例による組み立て性の容易なレンズ移送装置１はバレルホルダー２２０、第１板スプリング１３０と連結された上部ケース１１０、 第２板スプリング１４０と連結された下部ケース１２０、マグネット１８０を具備するヨーク１７０及びコイル２３０を含んで構成される。
【００４２】
図２に示すように、上記バレルホルダー２２０の内部には少なくとも一つのレンズ(Ｌ)が内蔵されたレンズバレル２１０が装着される。この際、上記レンズ(Ｌ)は具現しようとするカメラの機能及び性能によって一つまたは多数個が設置されることができ、この中の一部のレンズはバレルホルダー２２０の移送にもかかわらず固定された位置を維持するように形成することもできる。また、上記レンズバレル２１０の外周面に形成されたねじ山２１１は上記バレルホルダー２２０の内周面に形成されたねじ山２２３に沿ってねじ結合される。一方、上記バレルホルダー２２０の外周面には後述するところのようにホルダーコネクタ (１５１、１６１)がスナップ結合されるための溝(２２１、２２２)が形成される。
【００４３】
また、図２のようにヨーク１７０内部には磁気力を発生させるマグネット１８０が装着され、上記ヨーク１７０は磁束を断続するためにＵ型断面を有するのが好ましい。
【００４４】
この際、上記マグネット１８０とヨーク１７０の内側壁面１７１の間には上記マグネット１８０と一定間隔離隔されるようにコイル２３０が具備される。上記コイル２３０は図面で図示されてなかったが、電源(ｐｏｗｅｒ  ｓｏｕｒｃｅ)と電気的に連結され電源から電流が供給されるよう構成され、これによってコイル２３０とマグネット１８０との間の電磁気力相互作用によってコイル２３０が移送される
【００４５】
一方、本発明によるレンズ移送装置１は上部ケース１１０と下部ケース１２０からなるケース１００を具備する。上記ケース１００は上記ヨーク１７０及びバレルホルダー２２０などの部品を実装できるように所定の内部空間が形成されており、外部から内部に実装された部品を保護する役割をする。
【００４６】
この際、上記上部ケース１１０は上記バレルホルダー２２０の外周縁の上部に形成された溝２２１にスナップ結合される突出部１５１が形成された第１ホルダーコネクタ１５０と、上記第１ホルダーコネクタ１５０の外側にその内側が連結される第１板スプリング１３０と、上記第１板スプリング１３０の外側に連結される第１本体１１１を具備する。
【００４７】
同様に上記下部ケース１２０は、上記バレルホルダー２２０の外周縁の下部に形成された溝２２２にスナップ結合される突出部１６１が形成された第２ホルダーコネクタ１６０と、上記第２ホルダーコネクタ１６０の外側にその内側が連結される第２板スプリング１４０と、上記第２板スプリング１４０の外側に連結される第２本体１２１を具備し、その下部面に上記ヨーク１７０が安着される。
【００４８】
このように連結される本体(１１１、１２１)、板スプリング(１３０、１４０)、ホルダーコネクタ(１５０、１６０)はインサートモルディングによって形成されるのが好ましい。
【００４９】
この際、上記板スプリング(１３０、１４０)は十分な剛性を有し、弾性力を提供することができるように金属製より形成され得、本体(１１１、１２１)とホルダーコネクタ(１５０、１６０)はプラスチック製より形成され得る。
【００５０】
図３ａ及び図３ｂにはこのような上部ケース１１０、下部ケース１２０及びバレルホルダー２２０の結合関係が詳細に図示されている。
【００５１】
すなわち、上部ケース１１０の第１ホルダーコネクタ１５０の突出部１５１はバレルホルダー２２０の外周面上部に形成された溝２２１にスナップ結合され、下部ケース１２０の第２ホルダーコネクタ１６０の突出部１６１はバレルホルダー２２０の外周面下部に形成された溝２２２にスナップ結合される。
【００５２】
従来の場合には板スプリングとバレルホルダーが嵌め込み方式で結合された後、ボンディングによって固定されるので板スプリングの破損による収率低下が大きな問題として台頭され、組み立て作業が不便で、光軸方向の公差管理が難しかったが、本発明のようにスナップ結合によって板スプリングとバレルホルダーが連結される場合には前述した従来の問題点が解決できるという利点がある。
【００５３】
好ましくは、図２ｂ及び３ｂに示すように、上記コイル２３０は上記第１ ホルダーコネクタ１５０の下面にボンディングなどによって接着されて上記ヨーク１７０に設置されたマグネット１８０と一定間隔離隔されるように位置することができる。このようにコイル２３０が実装される場合には従来とは違ってコイル２３０がバレルホルダー２２０に直接巻線されなくても良いのでバレルホルダー２２０の製作が容易で、かつ設計自由度が向上されるという利点がある。
【００５４】
一方、図４には上部ケース１１０を部分切開した斜視図が図示されている。
図４に示すように、上記板スプリング１３０は外側部１３１、中間部１３２、内側部１３３に区分することができ、外側部１３１は本体１１１に、内側部１３３はホルダーコネクタ１５０にインサートモルディングされ、中間部１３２は弾性的に変形されバレルホルダー２２０の移送に必要な変位を提供するようになる。この際、ホルダーコネクタ１５０の内側には突出部１５１が形成されてバレルホルダー２２０に形成された溝２２１とスナップ結合される。
【００５５】
これとは違って、外側部１３１のみが本体１１１にインサートモルディングされ、内側部１３３にはホルダーコネクタ１５０がボンディングなどによって接合されるように構成することもあり得る。
【００５６】
このような図４の板スプリング１３０の形状は一例として提示されたものに過ぎず、このようにインサートモルディングされることができる構造なら、図４の形状に限定されない。
【００５７】
また、下部ケース１２０に具備される板スプリング１４０も上記のようにインサートモルディングによって解形成され得る。
【００５８】
好ましくは、図２ｂ及び図３ｂに示すように上記第１板スプリング１３０と第２板スプリング１４０は上記バレルホルダー２２０に同一な弾性力を提供するように形成されるのが好ましい。
【００５９】
すなわち、上記バレルホルダー２２０の上下に同一な弾性力が作用するようになると、バレルホルダー２２０の光軸方向移送を案内する案内部が具備されなくても上記第１及び第２板スプリング(１３０、１４０)の相互作用によって光軸方向の移送を具現できるようになる。
【００６０】
このために上記第１及び第２板スプリング(１３０、１４０)は同一な形状と材質を有するのが好ましいが、バレルホルダー２２０の光軸方向移送を案内することが可能な弾性力が提供できれば、これに限定されない。
【００６１】
図５ａと図５ｂは、それぞれ本発明の第２実施例によるレンズ移送装置の主要部品の分解斜視図と結合断面図である。
【００６２】
図５ａ及び図５ｂに示すように、本発明の第２実施例による組み立て性の容易なレンズ移送装置１は外周面にコイル２３０が巻線されたバレルホルダー２２０、第１板スプリング１３０と連結された上部ケース１１０、マグネット１８０を具備するヨーク１７０及び上記ヨーク１７０が安着される下部ケース１７０を含んで構成される。
【００６３】
本発明の第２実施例によるレンズ移送装置はコイル２３０がバレルホルダー２２０の外周面に巻線され、上記バレルホルダー２２０にガイド溝２２５が形成されること、下部ケース１２０に板スプリング及びホルダーコネクタが具備されないことを除けば基本的に第１実施例と同じであり、重複された記載を避けるために詳しい説明は省略する。
【００６４】
以下、第１実施例と相異な点を中心に説明する。
【００６５】
図５ａ及び図５ｂに示すように、本発明の第２実施例によるレンズ移送装置１はバレルホルダー２２０の外周面上側でのみスナップ結合のための溝２２１が形成され、この溝２２１に上部ケース１１０の板スプリング１３０と連結されたホルダーコネクタ１５０の突出部１５１がスナップ結合される。
【００６６】
また、バレルホルダー２２０)の外周面にはコイル２３０が巻線され、上記コイル２３０がヨーク１７０内のマグネット１８０と一定間隔離隔され配置されるようにバレルホルダー２２０にはガイド溝２２５が形成されている。
【００６７】
すなわち、上記ガイド溝２２５はヨーク１７０のガイド部１７２に挿入されて光軸方向へバレルホルダー２２０の移送を案内する役目及び上記コイル２３０がマグネット１８０と一定間隔を維持しヨーク１７０内に位置するようにする役目を果たす。
【００６８】
図５ａ及び図５ｂに示す第２実施例によるレンズ移送装置１は上部ケース１１０でのみ板スプリング１３０がインサートモルディングされ形成されるのであり、バレルホルダー２２０の光軸方向移送は上記ガイド部１７２及びガイド溝２２５によって行われる。
【００６９】
一方、本発明によるレンズ移送装置１はＵ型断面を有するヨーク１７０を中心に図示説明したが、上記ヨーク１７０はＬ型断面を有することもでき、さらに音声コイルモーターを利用したレンズ移送装置で公知されたように逆Ｕ型断面を有するヨークに対しても適用可能である。
【００７０】
このように、逆Ｕ型断面を有する場合には本発明の実施例で示すコイル２３０がヨーク１７０内に下側から上側へ挿入されるように構成すれば良いが、この場合に第２実施例は下部ケース１２０に板スプリングが具備される構成になり得る。
【００７１】
また、光軸方向の移送が保障されれば、別途のガイド部が具備されなくても上部ケース１１０または下部ケース１２０の一側でのみ板スプリング及び突出部が具備されたホルダーコネクタが連結されるように構成することもあり得る。
【００７２】
上記のような構成を有する本発明の作用は次のとおりである。
【００７３】
図２ｂに示すようにコイル２３０に電流が印加されると、フレミングの左手法則によって発生されるコイル２３０とマグネット１８０の電磁気力によってコイル２３０が直線的に移送される。
【００７４】
第１実施例の場合にはコイル２３０が接着されたホルダーコネクタ１５０に移送力が加えられ、これによってホルダーコネクタ１５０に連結された板スプリング１３０が弾性的に変形するようになりバレルホルダー２２０の移送に必要な変位を提供するようになる。
【００７５】
すなわち、コイル２３０に印加される電流によってバレルホルダー２２０が図２ｂのＹ方向へ直線移送され、これによってバレルホルダー２２０内にレンズバレル２１０を介して装着されたレンズ(Ｌ)が移送するようになり、これによってイメージセンサ(図示せず)とレンズ(Ｌ)との間の相手距離の変化で焦点調節またはズーム機能が行われる。
【００７６】
この際、第１板スプリング１３０と第２板スプリング１４０に作用する弾性力のバランスによって別途のガイド部がなくても光軸方向の移送が行われるようになるという利点がある。
【００７７】
一方、第２実施例の場合には図５ｂに示すように、コイル２３０に電流が印加されると、コイル２３０が巻線されたバレルホルダー２２０が移送され、この際バレルホルダー２２０のガイドホーム２２５に挿入されるガイド部１７２によって光軸方向(Ｙ)の移送が起こるようになる。
【００７８】
上記で本発明は、特定の実施例について図示、説明したが、当業界において通常の知識を有する者であれば添付の特許請求範囲に記載された本発明の思想及び領域を外れない範囲内において本発明を多様に修正及び変更させられることが判る。しかし、このような修正及び変更構造らは全て本発明の権利範囲内に含まれることを明らかにしておく。
【図面の簡単な説明】
【００７９】
【図１ａ】従来のレンズ移送装置における、主要部品の分解斜視図である。
【図１ｂ】従来のレンズ移送装置における、主要部品の結合断面図である。
【図２ａ】本発明によるレンズ移送装置の一実施例における、主要部品の分解斜視図である。
【図２ｂ】本発明によるレンズ移送装置の一実施例における、主要部品の結合断面図である。
【図３ａ】図２の上部ケース、下部ケース及びバレルホルダーを示す分解斜視図である。
【図３ｂ】図２の上部ケース、下部ケース及びバレルホルダーを示す、結合された状態の断面図である。
【図４】図２の上部ケースの部分切開斜視図である。
【図５ａ】本発明によるレンズ移送装置の他の実施例における、主要部品の分解斜視図である。
【図５ｂ】本発明によるレンズ移送装置の他の実施例における、主要部品の結合断面図である。
【符号の説明】
【００８０】
１００    ケース                  １１０    上部ケース
１１１    第１本体                １２０    下部ケース
１２１    第２本体                １３０    第１板スプリング
１４０    第２板スプリング        １５０    第１ホルダーコネクタ
１６０    第２ホルダーコネクタ    １７０    ヨーク
１７０    ガイド部                １８０    マグネット
２１０    レンズバレル            ２２０    バレルホルダー
２２１    上部溝                  ２２２    下部溝
２２５    ガイド溝                ２３０    コイル
４００    シャッター
【図１ａ】
2006301584.tif 000003
【図１ｂ】
2006301584.tif 000004
【図２ａ】
2006301584.tif 000005
【図２ｂ】
2006301584.tif 000006
【図３ａ】
2006301584.tif 000007
【図３ｂ】
2006301584.tif 000008
【図４】
2006301584.tif 000009
【図５ａ】
2006301584.tif 000010
【図５ｂ】
2006301584.tif 000011